(57)【要約】【目的】  周辺ノイズが大きくなっても、あるいは、大きな不規則ノイズが発生しても出力された音声をユーザが認識できるようにする「音声出力装置及び音声／映像出力装置」を提供することである。【構成】  音声／映像出力装置は、音声をスピーカに入力するオーディオ部、映像をモニターに入力するビデオ部、音声に応じた文字列を発生する音声文字列発生部、ノイズを検出するノイズ検出部、ノイズが設定レベル以上の時、音声に応じた文字列を映像に重ねてモニターに表示する表示制御部を備えており、表示制御部は、周辺ノイズが設定レベル以上の時、音声文字列を映像に重ねてモニターに表示して音声の聞き逃しを防止する。【選択図】        図２
2006081061.tif 000002
【特許請求の範囲】
【請求項１】
音声を出力する音声出力装置において、
ノイズを検出するノイズ検出部、
ノイズが設定レベル以上の時、前記音声を文字列で表示する表示制御部、
を備えたことを特徴とする音声出力装置。
【請求項２】
前記音声の文字列を発生する音声文字列発生部、
を備え、前記表示制御部はノイズが設定レベル以上の時、該音声文字列発生部から発生する文字列を表示する、
ことを特徴とする請求項１記載の音声出力装置。
【請求項３】
前記文字列は、ノイズが設定レベル以上の時に出力されていた音声の前後所定長さの音声文字列である、
ことを特徴とする請求項２記載の音声出力装置。
【請求項４】
前記ノイズ検出部は、
音響空間における音を検出するマイク、
スピーカからマイクまでの伝搬路特性を模擬するフィルタ、
音声信号を入力したときの前記フィルタの出力信号をマイク検出信号から減算して音響空間におけるノイズ信号を出力する演算部、
を備えたことを特徴とする請求項１記載の音声出力装置。
【請求項５】
前記音声出力装置は車両に搭載されており、前記ノイズ検出部は車室内でノイズを検出することを特徴とする請求項１記載の音声出力装置。
【請求項６】
音声及び映像を出力する音声／映像出力装置において、
音声をスピーカに入力するオーディオ部、
映像をモニターに入力するビデオ部、
前記音声に応じた文字列を発生する音声文字列発生部、
ノイズを検出するノイズ検出部、
ノイズが設定レベル以上の時、音声文字列を映像に重ねてモニターに表示する表示制御部、
を備えたことを特徴とする音声／映像出力装置。
【請求項７】
前記文字列は、ノイズが設定レベル以上の時に出力されていた音声の前後所定長さの音声文字列である、
ことを特徴とする請求項６記載の音声／映像出力装置。
【請求項８】
前記ノイズ検出部は、
音響空間における音を検出するマイク、
スピーカからマイクまでの伝搬路特性を模擬するフィルタ、
音声信号を入力したときの前記フィルタの出力信号をマイク検出信号から減算して音響空間におけるノイズ信号を出力する演算部、
を備えたことを特徴とする請求項６記載の音声／映像出力装置。
【請求項９】
前記音声／映像出力装置は車両に搭載されており、前記ノイズ検出部は車室内でノイズを検出することを特徴とする請求項６記載の音声／映像出力装置。
【請求項１０】
記録媒体に記録されている映像及び音声を再生して出力する音声／映像出力装置において、
前記記録媒体に記録されている主映像信号、副映像信号、音声信号をそれぞれ分離する分離部、
音声信号をスピーカに入力するオーディオ部、
映像信号をモニターに入力するビデオ部、
音響空間におけるノイズを検出するノイズ検出部、
ノイズが設定レベル以上の時、前記副映像信号に含まれる字幕を主映像に重ねてモニターに表示する表示制御部、
を備えたことを特徴とする音声／映像出力装置。
【請求項１１】
前記表示制御部は前記分離された映像と副映像を合成する映像合成部、
を備え、ノイズが設定レベル以上の時、映像合成部は前記副映像信号に含まれる字幕を映像に合成してモニターに表示する、
ことを特徴とする請求項１０記載の音声／映像出力装置。
【請求項１２】
前記ノイズ検出部は、
音響空間における音を検出するマイク、
スピーカからマイクまでの伝搬路特性を模擬するフィルタ、
音声信号を入力したときの前記フィルタの出力信号をマイク検出信号から減算して音響空間におけるノイズ信号を出力する演算部、
を備えたことを特徴とする請求項１０記載の音声出力装置。
【請求項１３】
前記音声／映像出力装置は車両に搭載されており、前記ノイズ検出部は車室内でノイズを検出することを特徴とする請求項１０記載の音声出力装置。
【請求項１４】
テレビ放送電波を受信して出力する音声／映像出力装置において、
受信信号より映像信号、音声信号を分離する分離部、
音声信号をスピーカに入力するオーディオ部、
映像信号をモニターに入力するビデオ部、
音響空間におけるノイズを検出するノイズ検出部、
前記音声信号の音声文字列を発生する音声文字列発生部、
ノイズが設定レベル以上の時、前記音声文字列を映像に重ねてモニターに表示する表示制御部、
を備えたことを特徴とする音声／映像出力装置。
【請求項１５】
前記音声文字列発生部は、
音声信号より音声を認識する音声認識部、
認識した音声の文字列を出力する音声文字列作成部、
を備えたことを特徴とする請求項１４記載の音声／映像出力装置。
【請求項１６】
前記表示制御部は前記分離された映像と前記作成された音声文字列を合成する映像合成部、
を備え、ノイズが設定レベル以上の時、前記映像合成部は音声文字列を映像に合成してモニターに表示する、
ことを特徴とする請求項１４記載の音声／映像出力装置。
【請求項１７】
前記ノイズ検出部は、
音響空間における音を検出するマイク、
スピーカからマイクまでの伝搬路特性を模擬するフィルタ、
音声信号を入力したときの前記フィルタの出力信号をマイク検出信号から減算して音響空間におけるノイズ信号を出力する演算部、
を備えたことを特徴とする請求項１４記載の音声／映像出力装置。
【請求項１８】
前記音声／映像出力装置は車両に搭載されており、前記ノイズ検出部は車室内でノイズを検出することを特徴とする請求項１４記載の音声／映像出力装置。
【請求項１９】
案内音声及び地図映像を出力する音声／映像出力装置において、
案内音声データを保存する案内音声保存部、
所定の案内音声データを用いて案内音声を生成してスピーカに入力する音声生成部、
地図映像をモニターに入力するビデオ部、
前記案内音声データを用いて案内音声文字列を生成する案内音声文字列生成部、
ノイズを検出するノイズ検出部、
ノイズが設定レベル以上の時に出力していた案内音声に応じた文字列を地図映像に重ねてモニターに表示する表示制御部、
を備えたことを特徴とする音声／映像出力装置。
【請求項２０】
前記表示制御部は地図映像と前記作成された案内音声文字列を合成する映像合成部、
を備え、ノイズが設定レベル以上の時、前記映像合成部は案内音声文字列を映像に合成してモニターに表示する、
ことを特徴とする請求項１９記載の音声／映像出力装置。
【請求項２１】
前記ノイズ検出部は、
音響空間における音を検出するマイク、
スピーカからマイクまでの伝搬路特性を模擬するフィルタ、
音声信号を入力したときの前記フィルタの出力信号をマイク検出信号から減算して音響空間におけるノイズ信号を出力する演算部、
を備えたことを特徴とする請求項１９記載の音声／映像出力装置。
【請求項２２】
前記音声／映像出力装置は車両に搭載されており、前記ノイズ検出部は車室内でノイズを検出することを特徴とする請求項１９記載の音声／映像出力装置。
【発明の詳細な説明】
【技術分野】
【０００１】
本発明は音声出力装置及び音声／映像出力装置に係わり、特に周辺のノイズが大きくなって音声が聞き取れなくなった時、該音声に応じた文字列を表示する音声出力装置及び音声／映像出力装置に関する。
【背景技術】
【０００２】
車室内音響空間の環境は車両の走行に応じて時々刻々と変換する。このため、車載の音響機器でＤＶＤ、ＣＤ等を再生中にロードノイズ等周辺ノイズが大きくなることがある。周辺ノイズが大きくなると音響機器から出力される音声がノイズにマスクされて聞き取れなくなる。このため、従来は車室内で周辺ノイズを検出し、周辺ノイズの大きさに応じて音響機器の音量を制御することが行なわれている(たとえば特許文献１参照)。
【特許文献１】特開平６−７８３９０号公報
【発明の開示】
【発明が解決しようとする課題】
【０００３】
かかる従来技術では、周辺ノイズレベルに応じてトータルの音量が大きくなる。しかし、音響機器から出力されるＤＶＤ等の音量が小さい部分では、それほど音量が大きくなるわけではない。このため、周辺ノイズにより、小声のセリフなどが聞き取れなくなってしまう。また、道路状況により不規則に大きなノイズが発生することがあるが、かかる大きな不規則ノイズが発生すると、その部分での音声が聞き取れないことがある。
以上はＤＶＤ等の再生時の場合であるが、ＤＶＤ再生に限らずテレビ受信中においても、同様に、周辺ノイズによって小声のセリフなどが聞き取れなくなったり、大きな不規則ノイズ発生時に音声を聞き取れなくなってしまう。
また、車載ナビゲーション装置は車両が交差点に接近すると進行方向を音声で案内するが、音声案内中に周辺ノイズが発生すると、該周辺ノイズにより案内音声を聞き取れない場合が発生する。
また、ラジオで交通情報、その他の情報を受信中においても周辺ノイズが発生すると聞き逃すことがある。
以上から本発明の目的は、周辺ノイズが大きくなっても、あるいは、大きな不規則ノイズが発生しても出力された音声をユーザが認識できるようにすることである。
【課題を解決するための手段】
【０００４】
上記課題は本発明によれば、音声を出力する音声出力装置において、ノイズを検出するノイズ検出部、ノイズが設定レベル以上の時、前記音声を文字で表示する表示制御部、を備えた音声出力装置により達成される。
また、上記課題は本発明によれば、音声及び映像を出力する音声／映像出力装置において、音声をスピーカに入力するオーディオ部、映像をモニターに入力するビデオ部、前記音声に応じた文字列を発生する音声文字列発生部、ノイズを検出するノイズ検出部、ノイズが設定レベル以上の時、音声文字列を映像に重ねてモニターに表示する表示制御部を備えた音声／映像出力装置により達成される。
【０００５】
また、上記課題は本発明によれば、記録媒体に記録されている映像及び音声を再生して出力する音声／映像出力装置において、前記記録媒体に記録されている主映像信号、副映像信号、音声信号をそれぞれ分離する分離部、音声信号をスピーカに入力するオーディオ部、映像信号をモニターに入力するビデオ部、音響空間におけるノイズを検出するノイズ検出部、ノイズが設定レベル以上の時、前記副映像信号に含まれる字幕を主映像に重ねてモニターに表示する表示制御部を備えた音声／映像出力装置により達成される。
【０００６】
また、上記課題は本発明によれば、テレビ放送電波を受信して出力する音声／映像出力装置において、受信信号より映像信号、音声信号を分離する分離部、音声信号をスピーカに入力するオーディオ部、映像信号をモニターに入力するビデオ部、音響空間におけるノイズを検出するノイズ検出部、前記音声信号の音声文字列を発生する音声文字列発生部、ノイズが設定レベル以上の時、前記音声文字列を映像に重ねてモニターに表示する表示制御部を備えた音声／映像出力装置により達成される。
【０００７】
また、上記課題は本発明によれば、案内音声及び地図映像を出力する音声／映像出力装置において、案内音声データを保存する案内音声保存部、所定の案内音声データを用いて案内音声を生成してスピーカに入力する音声生成部、地図映像をモニターに入力するビデオ部、前記案内音声データを用いて案内音声文字列を生成する案内音声文字列生成部、ノイズを検出するノイズ検出部、ノイズが設定レベル以上の時に出力していた案内音声に応じた案内音声文字列を地図映像に重ねてモニターに表示する表示制御部を備えた音声／映像出力装置により達成される。
【発明の効果】
【０００８】
本発明によれば、ロードノイズなど周辺ノイズが大きくなると音声を文字列で表示するため、もともとのテレビやＤＶＤの音量が小さい場合であっても、セリフなどの音声を聞き逃すことがなくなる。
また、本発明によれば、突然の大きなノイズの発生により音声を聞き取れなくなった場合でも、字幕その他の手段で該音声の前後所定長の音声部分を文字列で表示するため、セリフなどの音声を聞き逃すことがなくなる。なお、自動的に音量が大きくなる手法では、一度聞き逃すと二度と確認することができない。
また、ナビゲーションシステムにおいて、周辺ノイズにより聞き取れない案内音声部分があっても、該案内音声の文字列を表示するため、ユーザは案内を簡単に確認することができる。
また、ラジオ等音声を出力する音声出力装置において、周辺ノイズにより聞き取れない音声部分、例えば交通情報があっても、音声文字列を表示するため、ユーザは交通情報を簡単に確認することができる。
【発明を実施するための最良の形態】
【０００９】
図１は本発明の第1の実施形態である音声出力装置の説明図である。音声出力部１のオーディオ部１ａは音声信号をスピーカ２に入力して音声を出力する。音声出力部１の音声文字列発生部１ｂは、音声に応じた音声文字列を発生して表示制御部３に入力する。周辺ノイズ検出部３は音響空間における周辺ノイズを検出し、表示制御部４は検出されたノイズが設定レベル以上の時、音声を文字列で表示部５に表示する。
図２は本発明の第２の実施形態である音声／映像出力装置の説明図である。音声／映像出力部６のオーディオ部６ａは音声信号をスピーカ２に入力して音声を出力し、ビデオ部６ｂは映像を、表示制御部８を介してモニター９に入力して表示する。音声文字列発生部６ｃは、音声に応じた音声文字列、たとえば字幕を発生して表示制御部８に入力する。周辺ノイズ検出部１０は音響空間における周辺ノイズを検出し、表示制御部８は検出されたノイズが設定レベル以上の時、前記音声文字列を映像に重ねてモニター９に表示する。図３はＤＶＤ再生中における本発明の表示例であり、（Ａ）に示すように字幕無しで映画を見ている時、周辺ノイズが大きくなれば、あるいは、大きな不規則ノイズが発生すれば、表示制御部８は（Ｂ）に示すように、その時の字幕を映像に重ねてモニターに表示する。
以上により、本発明によれば、ロードノイズなど周辺ノイズが大きくなっても、あるいは、突然の大きな不規則ノイズが発生しても、字幕その他の手段で該音声の前後所定長の音声部分を文字列で表示するため、セリフなどの音声を聞き逃すことがなくなる。
【実施例１】
【００１０】
図４は本発明の第１実施例構成図であり、本発明を車載のＤＶＤ再生装置に適用した場合である。ＤＶＤ再生装置１１には周辺ノイズを検出する周辺ノイズ検出装置３１が接続されており、車室内音響空間において周辺ノイズを検出するようになっている。
ＤＶＤ再生装置１１において、DVDビデオディスク１１ａから光ピックアップ１１ｂにより読み取られた信号はRFアンプ１１ｃに入力する。RFアンプ１１ｃは入力信号をＲＦ増幅して次段に出力するとともに、トラッキングエラー信号TES、フォーカシングエラー信号FESを生成してサーボ制御部１１ｄに入力する。サーボ制御部１１ｄは、トラッキングエラー信号TESを用いて送りモータ１１ｅを駆動してトラッキングサーボ制御すると共に、システムコントローラからの指示に基づいて光ピクアップ１１ｂをディスク半径方向に移動して所定の位置に位置決めする。また、サーボ制御部１１ｄは、フォーカシングエラー信号FESを用いてアクチュエータを駆動して光ピックアップ１１ｂの焦点がディスク面に一致するように（合焦点位置になるように）フォーカスサーボ制御する。さらに、サーボ制御部１１ｄは、スピンドルモータ１１ｆを周速一定回転制御する。
【００１１】
デジタル信号処理部１２は、RAM １３を用いてDVD変調信号の復調処理、誤り訂正処理、デジタル認証処理、ビットストリーム（DVDデータ)の転送処理等を行う。ストリーム分離部１４はDVDデータのストリームの解析を行い、ナビゲーションデータをシステムコントローラ１５に入力すると共に、操作部１６で選択されたビデオタイトルに応じた主映像、選択された言語による副映像(字幕)、選択された言語に応じたオーディオデータにビットストリームを分離して出力する。
オーディオデコーダ１７は圧縮オーディオデータをPCMオーディオデータに復元して出力し、DA変換器１８はＰＣＭオーディオデータをアナログに変換し、アンプ２０を介して出力する。ビデオデコーダ２１は主映像のMPEGビデオデータを復元して出力し、サブピクチャデコーダ２２は副映像（字幕等）の圧縮を復元して出力する。ビデオプロセッサ２３は主映像と副映像を重ね合わせてビデオエンコーダ２４に入力し、ビデオエンコーダ２４は入力映像信号をNTSC方式あるいはPAL方式の信号にエンコードし、DA変換して表示系デバイス(モニター)２５に入力して表示する。
【００１２】
たとえば、日本映画をＤＶＤ再生する場合、操作部１６において「音声：日本語、字幕：無し」の設定をして再生を開始する。このようにすれば、字幕のない映像を見ながら日本語のセリフで映画を楽しむことができる。かかる状態において、周辺ノイズが連続して大きくなったり、或いは、不規則に大きなノイズが発生すると、周辺ノイズ検出装置３１は該ノイズを検出してシステムコントローラ１５に音声文字出力イネーブル信号SCENを入力する。これにより、システムコントローラ１５はストリーム分離部１４に指示して日本語の字幕データをサブピクチャデコーダ２２に入力させる。サブピクチャデコーダ２２は入力された日本語の字幕データを復元してビデオプロセッサ２３に入力し、ビデオプロセッサ２３は該入力された字幕を主映像に重ねてビデオエンコーダ２４に入力してモニター２５に表示する。この結果、図３の(Ａ)から(Ｂ)に示すように、ノイズが大きくなった時の音声(セリフ)に応じた字幕「目的は何だ?」がモニターに表示される。すなわち、ロードノイズなど周辺ノイズが大きくなっても、あるいは、突然に大きな不規則ノイズが発生しても、字幕でノイズ発生時における音声の前後所定長の音声部分を文字列(字幕)で表示するため、セリフなどの音声を聞き逃すことがなくなる。
【００１３】
なお、周辺ノイズを検出しなくなれば、システムコントローラ１５はストリーム分離部１４に日本語字幕データの出力停止を指示し、字幕の表示を停止する。
図５は周辺ノイズ検出装置３１の構成図であり、周辺ノイズ検出部３２と周辺ノイズ大小判別部３３で構成されている。周辺ノイズ検出部３２は、車室内音響空間における音を検出するマイク３２ａ、スピーカ２０からマイク３２ａまでの伝搬路の特性を模擬し、オーディオ信号ＡＤＳが入力されるフィルタ(伝搬路特性フィルタ)３２ｂ、オーディオ信号ＡＤＳが入力したときのフィルタ３２ｂの出力信号ＡＤＳ′をマイク検出信号ＭＤＳから減算して音響空間におけるノイズ信号ＮＳＥを出力する演算部３２ｃを備えている。
伝搬路特性フィルタ３２ｂは伝搬路特性を模擬しているから、その出力信号ＡＤＳ′はマイク３２ａにより検出されるオーディオ信号と同じである。したがって、マイク検出信号ＭＤＳから伝搬路特性フィルタ３２ｂの出力信号ＡＤＳ′を減算することにより周辺ノイズ信号ＮＳＥが得られる。周辺ノイズ大小判別部３３は検出された周辺ノイズ信号レベルＮと設定レベルＮTHの大小を比較し、Ｎ＞ＮTHであれば、音声文字出力イネーブル信号SCENを発生して、システムコントローラ１５に入力する。システムコントローラ１５はＮ＞ＮTHとなれば、モニターに字幕を表示する。
【実施例２】
【００１４】
図６は本発明の第２実施例構成図であり、本発明を車載のテレビジョン装置に適用した場合である。テレビジョン装置４１には図５に示した周辺ノイズ検出装置３１が接続されており、車室内音響空間における周辺ノイズを検出するようになっている。
ＴＶ放送受信部４１ａはＴＶ信号を高周波増幅して映像・音声中間周波数信号に変換する。映像／音声分離部４１ｂは映像・音声中間周波数信号より音声中間周波信号と映像中間周波信号に分離し、オーディオ部４１ｃは音声中間周波信号を増幅、FM検波して音声信号を、低周波増幅器４１ｄを介してスピーカ４１ｅに入力する。ビデオ部４１ｆは、映像中間周波信号を増幅、映像検波して映像信号を発生し、該映像信号を映像合成部４１ｇ、映像増幅器４１ｈを介してモニター４１ｉに入力して表示する。
【００１５】
以上と並行して、音声認識部４２はオーディオ部４１ｃから入力する音声信号を用いて音声認識処理を実行し、認識結果を文字データ列作成部４３に入力する。音声文字列作成部４３は認識結果に基づいて、音声文字列を作成し、該文字列を構成する各文字の画像を発生して映像合成部４１ｇに入力する。映像合成部４１ｇは通常、音声文字列作成部４３から入力する各文字画像を映像に合成しないが、周辺ノイズが大きくなると各文字画像を映像に合成してモニターに表示する。
すなわち、通常のテレビ受信／表示状態において、周辺ノイズが所定時間連続して大きくなったり、或いは、不規則に大きなノイズが発生すると、周辺ノイズ検出装置３１は音声文字出力イネーブル信号SCENを映像合成部４１ｇに入力する。これにより、映像合成部４１ｇは、ノイズ発生時に音声文字列作成部４３から入力する文字画像(字幕)を映像に合成してモニター４１ｉに表示する。
この結果、図３の(Ａ)から(Ｂ)に示すように、ノイズが大きくなった時の音声(セリフ)に応じた字幕「目的は何だ?」がモニター４１ｄに表示される。すなわち、ロードノイズなど周辺ノイズが大きくなっても、あるいは、突然に大きな不規則ノイズが発生しても、ノイズ発生時における音声の前後所定長の音声部分を文字列で表示する。このため、セリフなどの音声を聞き逃すことがなくなる。
【実施例３】
【００１６】
図７は本発明の第３実施例構成図であり、本発明を車載のナビゲーションシステムに適用した場合である。ナビゲーションシステム５１には図5に示した周辺ノイズ検出装置３１が接続されており、車室内音響空間における周辺ノイズを検出するようになっている。
ナビゲーションシステム５１において、ナビゲーション制御部５２は自動車周辺の地図をモニターに表示する制御を行なうと共に目的地までの経路を探索して誘導経路制御を行なう。画像発生部５３における地図画像発生部５３ａはナビゲーション制御部５２からの指示にしたがって自動車周辺の地図を発生すると共に目的地までの誘導経路画像を発生し、メニュー画像発生部５３ｂはナビゲーション制御部５２からの指示にしたがってメニュー画像を発生する。画像発生部５３は適宜地図画像、誘導経路画像、メニュー画像等を合成し、画像合成部５４を介して地図画像、メニュー画像をモニター５５に表示する。
【００１７】
また、ナビゲーション制御部５２は、自動車が交差点に接近すると、該交差点から３００ｍ地点および１００ｍ地点で、交差点における進行方向(右左折／直進などの別)、方面等を音声で案内する音声案内制御を実行する。すなわち、自動車が交差点に接近すると所定の音声案内するよう音声案内制御部５６に指示する。音声案内制御部５６は指示された案内音声を出力するために案内音声データべース５６ａから案内音声データを検索して音声合成部５７と音声文字列生成部５８に入力する。
音声合成部５７は案内音声データを用いて案内音声を合成し、合成した案内音声信号を、オーディオ回路５９を介してスピーカ６０に入力して車室内に出力する。
また、案内音声文字列生成部５８は案内音声データを用いて案内音声に応じた案内音声文字列を作成し、該文字列の各文字画像を発生して画像合成部５４に入力する。画像合成部５４は通常、案内音声文字列生成部５８から入力する案内音声の各文字画像を地図画像などに合成しないが、周辺ノイズが大きくなると各文字画像を地図画像に合成してモニター５５に表示する。
【００１８】
すなわち、ナビゲーション制御中において、周辺ノイズが連続して大きくなったり、或いは、不規則に大きなノイズが発生すると、周辺ノイズ検出装置３１は音声文字出力イネーブル信号SCENを画像合成部５４に入力する。これにより、画像合成部５４は、ノイズ発生時に案内音声文字列生成部５８から入力する案内音声の各文字画像(字幕)を映像に合成してモニター５５に表示する。
この結果、ロードノイズなど周辺ノイズが大きくなっても、あるいは、突然に大きな不規則ノイズが発生しても、ノイズ発生時における案内音声の案内音声文字列を文字列で表示するから、案内音声を聞き逃すことがなくなる。
【実施例４】
【００１９】
図８は本発明の第４実施例構成図であり、本発明を車載のラジオ受信機に適用する場合である。ラジオ受信機７１には図５に示した周辺ノイズ検出装置３１が接続されており、車室内音響空間における周辺ノイズを検出するようになっている。
ＡＭ／ＦＭ受信部７１ａはＡＭ／ＦＭ信号を高周波増幅して中間周波信号に変換し、復調部７１ｂは中間周波信号を増幅、ＡＭ／ＦＭ検波して音声信号をオーディオ部７１ｃに入力し、オーディオ部７１ｃは該音声信号に音量制御、低周波増幅その他のオーディオ処理を施してスピーカ７１ｄに入力する。
以上と並行して、音声認識部７１ｅはオーディオ部７１ｃから入力する音声信号を用いて音声認識処理を実行し、認識結果を音声文字列作成部７１ｆに入力する。音声文字列作成部７１ｆは認識結果に基づいて、音声文字列を作成し、該文字列を構成する各文字の画像を発生して音声文字列表示制御部７１ｇに入力する。
【００２０】
音声文字列表示制御部７１ｇは通常、音声文字列作成部７１ｆから入力する各文字画像を出力しない。しかし、交通情報受信時に周辺ノイズが連続して大きくなったり、或いは、不規則に大きなノイズが発生すると、すなわち、周辺ノイズ検出装置３１から音声文字出力イネーブル信号SCENが入力すると、音声文字列表示制御部７１ｇは音声文字列作成部７１ｆから入力する各文字画像を表示部７１ｈに入力して表示する。
この結果、ロードノイズなど周辺ノイズが大きくなれば、あるいは、突然に大きな不規則ノイズが発生すれば、該ノイズ発生時における音声の前後所定長の音声部分が文字列で表示部７１ｈに表示される。このため、交通情報などの音声を聞き逃すことがなくなる。
以上では、車室内において周辺ノイズを検出し、該周辺ノイズに基づいて音声に応じた音声文字列を車載の表示部に表示する場合について説明したが、本発明は車載機器に限定するものではない。
【図面の簡単な説明】
【００２１】
【図１】本発明の第1の実施形態である音声出力装置の説明図である。
【図２】本発明の第２の実施形態である音声／映像出力装置の説明図である。
【図３】ＤＶＤ再生中における本発明の表示例である。
【図４】本発明の第１実施例構成図である。
【図５】周辺ノイズ検出装置の構成図である。
【図６】本発明の第２実施例構成図である。
【図７】本発明の第３実施例構成図である。
【図８】本発明の第４実施例構成図である。
【符号の説明】
【００２２】
６  音声／映像出力部
６ａ  オーディオ部
６ｂ  ビデオ部
６ｃ  音声文字列発生部
７  スピーカ
８  表示制御部
９  モニター
１０  周辺ノイズ検出部
【図１】
2006081061.tif 000003
【図２】
2006081061.tif 000004
【図３】
2006081061.tif 000005
【図４】
2006081061.tif 000006
【図５】
2006081061.tif 000007
【図６】
2006081061.tif 000008
【図７】
2006081061.tif 000009
【図８】
2006081061.tif 000010